(57)【要約】【課題】ライトガイドの瑕を防止し、ライトカバーの光漏れ、及び光紋を防止るライトガイドカバーを提供する。【解決手段】ライトガイドカバーは、ライトガイドは板先端をライトカバー開口に深く入れる方式で、ライトカバーと連接する。そのライトカバーはその開口箇所で、ライトガイドの光源射出面に設置した挟持部に対応する。そのうち、この挟持部はライトカバー開口の方向に向かって既定の角度に伸び、ライトカバーの開口は外開き形態を形成する。【選択図】図３
0003108189.tif 000002
【実用新案登録請求の範囲】
【請求項１】
ライトガイドは板先端をライトカバー開口に深く入れる方式と、ライトカバーと連接する方式があり、ライトカバーはライトガイドの非光源射出面に設置してライトガイドに積載部を沿わせ、更にその開口箇所にはライトガイドの光源射出面位置に対応してライトガイドの挟持部で挟むライトガイドカバーにおいて、
この挟持部は、ライトカバー開口方向へ斜めに既定角度で伸び、ライトカバーの開口が外開き形態を形成し、それによってライトカバー内部の光源は良好な反射作用を具え、光源の反射位置が過度に集中するのを防止し、またライトガイドに光紋の発生を防止することを特徴とするライトガイドカバー。
【請求項２】
前記ライトカバーは、その開口箇所に折曲区段が形成され、挟持部は折曲区段で開口方向に向かって斜めに伸びることを特徴とする請求項1記載のライトガイドカバー。
【請求項３】
前記ライトカバーは、直線区段が形成されて開口箇所まで伸び、その挟持部は直線区段の末端で開口方向に向かって斜めに伸びることを特徴とする請求項1記載のライトガイドカバー。
【請求項４】
前記挟持部は、ライトカバーの末端部で開口方向に向かって斜めに伸びることを特徴とする請求項1記載のライトガイドカバー。
【請求項５】
前記積載部とライトガイドは、その間に反射片が設置されることを特徴とする請求項1記載のライトガイドカバー。
【考案の詳細な説明】
【技術分野】
【０００１】
本考案は、ライトガイドカバーに関するもので、ライトガイドの瑕を防ぎ、且つ光漏れ、光紋の発生を改善するものである。
【背景技術】
【０００２】
一般の液晶ディスプレイには、直下光型もしくは側面光型のバックライトモジュールが設置される。図1に示すのは、公知の側面光型バックライトモジュールの基本構造である。ライトガイド30の板端をライトカバー10の開口箇所に設置し、光源20からの光線を板端からライトガイド30へ導き、ライトガイド30の予定位置に向かって射出して表示する。
【０００３】
基本的に、ライトガイド30は、その端をライトカバー10開口に深く入れる方式でライトカバーと連接する。このライトカバー10は、ライトガイド30の非光源射出面ヒ、ライトガイド30と並んだ積載部11に設置する。またその開口箇所は、ライトガイド30の光源射出面位置に対応し、ライトガイド30を挟む挟持部12を設置する。これによってライトガイド30が定位する。また、積載部11とライトガイド30の間には反射片40を設置する。反射片40の作用によって、光源20の光線は光源射出面に向かって射出され、光源の射出面の輝度が更に向上する。
【０００４】
更に公知のライトカバー10開口箇所の挟持部12は、積載部11と平行で、加えてライトガイド30は、その先端をライトカバー10開口に嵌め込む方式で、ライトカバー10と連接する。このためライトガイド30を入れる際、ライトカバー10の開口箇所で、挟持部12の先端に当たりやすく、ライトガイド30に暇がつくこともある。挟持部12は積載部11と平行状態であるため、ライトガイド30をライトカバー10内部に強い力で押し込もうとすると、ライトカバー10は変形してしまい、光漏れの原因となる。更に挟持部12は、光源20が光源射出方向に向かって発する光線を反射片40のその他光線照射位置に反射してしまい、光線が集中してしまいやすい。そのため、光紋地帯が発生し、液晶ディスプレイの画面品質に影響を及ぼす。
【考案の開示】
【考案が解決しようとする課題】
【０００５】
解決しようとする問題点は、ライトガイドをライトカバーに設置する際、瑕をつけたり、変形したりする点であり、更に光漏れや光源反射位置の過度集中による光紋地帯が発生する点である。
【課題を解決するための手段】
【０００６】
本考案は、ライトガイドは板先端をライトカバー開口に深く入れる方式でライトカバーと連接する。そのライトカバーはその開口箇所で、ライトガイドの光源射出面に設置した挟持部に対応する。そのうち、この挟持部はライトカバー開口の方向に向かって既定の角度に伸び、ライトカバーの開口は外開き形態を形成することを最も主要な特徴とする。
【考案の効果】
【０００７】
本考案のライトガイドカバーは、ライトガイドの瑕を防ぎ、且つ光漏れ、光紋区の発生を改善するという利点がある。
【考案を実施するための最良の形態】
【０００８】
本考案は、主に側面光型バックライトモジュールに関して、ライトガイドのライトカバーを接続する方法を示したものである。図3に示すとおり、側面光型バックライトモジュールは、ライトカバー10内に光源20を設置し、更にライトガイド30の先端をライトカバー10の開口に嵌合する。光源20の光線は板先端からライトガイドヘ射出され、ライトガイド30方向の予め設定した板面へ射出される。
【０００９】
ライトガイド30は、板先端をライトカバー10開ロヘ深く入れる方式で、ライトカバー10と接続する。このライトカバー10は、ライトガイド30の非光源射出面に、ライトガイド30と並んだ積載部11に設置する。またその開口箇所は、ライトガイド30の光源射出面位置に対応し、ライトガイド30を挟む挟持部12を設置する。これによってライトガイド30が定位する。また、積載部11とライトガイド30の間には反射片40を設置する。反射片40の作用によって、光源20の光線は光源射出面に向かって射出され、光源の射出面の輝度が更に向上する。
【００１０】
本考案の挟持部12は、挟持部12をライトカバー10開口方向に向かって既定の角度で斜めに傾斜する。ライトカバー10の開口が外に向かって開くことにより、ライトガイド30の板先端がライトカバー10の開ロヘスムーズに填まり、ライトガイド30の板が挟持部12の後端で暇をつけることを防止し、ライトカバー10の開口が変形するのを防止する。また、それによって、ライトカバー10からの光漏れがなくなる。更に斜めに伸びた挟持部12によって、ライトカバー10内部の光源20は良好な反射作用を形成し、光源20の反射位置が過度に集中するのを防ぎ、ライドガイド30に光紋が発生するのを防ぐ。
【００１１】
図3の実施例で、ライトカバー10は開口箇所で折曲段13を形成し、その挟持部12は折曲区段13で開口方向へ斜めに伸びる。またライトカバー10の開口はライドガイド30を嵌入するのに便利な外開き形態となる。図4に示すとおり、挟持部12は、ライトカバー10から開口箇所の直線区段14へまっすぐ伸びる形態で、それが開口方向へ斜めに伸びるものでもよく、また、図5に示すとおり、ライトカバー１０の末端から開口方向へ斜めに伸びるものでも、同様の効果を得る。
【図面の簡単な説明】
【００１２】
【図１】ライトガイドが公知のライトカバーを設置した構造断面図である。
【図２】公知のライトカバーの光線反射状態指示図である。
【図３】本考案第一実施例のライトカバー構造断面図である。
【図４】本考案第二実施例のライトカバー構造断面図である。
【図５】本考案第三実施例のライトカバー構造断面図である
【符号の説明】
【００１３】
１０  ライトカバー
１１  積載部
１２  挟持部
１３  折曲区段
１４  直線九段
【図１】
0003108189.tif 000003
【図２】
0003108189.tif 000004
【図３】
0003108189.tif 000005
【図４】
0003108189.tif 000006
【図５】
0003108189.tif 000007